(57)【特許請求の範囲】
【請求項１】
商品収納ラックを搭載した断熱内扉付き本体ケースと、本体ケースの前面に配した外扉とからなり、外扉に商品見本を陳列するディスプレイ室を画成するとともに、外扉の裏面側にディスプレイ室の背面を覆って商品展示台を支持する中扉を備えた自動販売機のキャビネットにおいて、
前記中扉の反ヒンジ側の下端角部に、当該下端角部を覆い、かつ、前記中扉とその背後に並ぶ断熱内扉との間に、外扉を閉じた状態で中扉を外扉の裏面に押し付ける弾性材質のスペーサを取付けたことを特徴とする自動販売機のキャビネット。
【発明の詳細な説明】
【０００１】
【発明の属する技術分野】
この発明は、外扉に商品見本を陳列するディスプレイ室を有する自動販売機のキャビネットに関する。
【０００２】
【従来の技術】
まず、頭記した自動販売機の構成概要を図３，図４に示す。各図において、１は自動販売機の本体ケース、２はその前面外扉である。ここで、本体ケース１は断熱筐体としてなり、庫内には商品収納ラック（例えばサーペンタイン式商品収納ラック）３、および商品保冷用の冷却器（冷凍機のエバポレータ），商品加温用のヒータを搭載し、その前面を断熱内扉４で覆っている。
【０００３】
一方、外扉２には、その上半部に画成した販売商品のディスプレイ室５、コインメック６ａ，ビルバリデータ６ｂなどを装備した操作パネル６，および商品取出口７を備えている。ここで、ディスプレイ室５はその前面を透明な前面パネルで覆い、室内には商品見本８を陳列する商品展示台９，照明用の蛍光灯（図示せず）などを組み込み、商品見本８と個々に対応する商品選択釦１０が前面パネルの前面に設置されている。また、外扉２の裏面側にはディスプレイ室５の背面を覆って前記した商品展示台９を取付けた鋼板製の片開き式中扉１１を備えている。
【０００４】
【発明が解決しようとする課題】
上記構成の自動販売機には次記のような問題点がある。すなわち、
(1) 自動販売機のロケーション先でディスプレイ室５の清掃，商品見本の付け替え，蛍光灯交換などのメンテナンス作業を行う場合には、外扉２を開放した上で中扉１１を後方に開き、この状態で作業者（ルートマン）が外扉２と中扉１１との間に入って作業を行うようにしている。
【０００５】
この場合に、自動販売機の周囲スペースの制約から外扉２，中扉１１を半開状態で作業する場合が多く、このような状態で作業者が中腰，あるいは屈んだ姿勢での作業中に立ち上がると、鋼板製になる中扉１１の尖った角部に背中，腰が突き当たって思わぬ怪我をすることがある。
(2) ディスプレイ室５の背面を覆う中扉１１は薄鋼板で作られているが、その面積はかなり大きく、しかも中扉１１には商品展示台９を取付けているためにその重量加重が加わるなどして、板面に撓み，反りが生じることが多い。
【０００６】
この場合に、中扉１１はその一側縁をドアヒンジを介して外扉２に結合し、反対側の側縁は簡単なラッチ金具を設けて外扉に掛け止めするようにしており、このために中扉１１に前記した撓み，反りがあると、ドアヒンジと反対側の側縁部分が外扉に密着せず、この部分に隙間が生じてディスプレイ室５の体裁を損なうほか、隙間からディスプレイ室内に塵埃，虫などが入り易くなる。
【０００７】
この発明は上記の点に鑑みなされたものであり、その目的は簡単な部品を追加装備することで前記課題の解決を図った自動販売機のキャビネットを提供することにある。
【０００８】
【課題を解決するための手段】
上記目的を達成するために、この発明によれば、商品収納ラックを搭載した断熱内扉付き本体ケースと、本体ケースの前面に配した外扉とからなり、外扉に商品見本を陳列するディスプレイ室を画成するとともに、外扉の裏面側にディスプレイ室の背面を覆って商品展示台を支持する中扉を備えた自動販売機のキャビネットにおいて、
前記中扉の反ヒンジ側の下端角部に、当該下端角部を覆い、かつ、前記中扉とその背後に並ぶ断熱内扉との間に、外扉を閉じた状態で中扉を外扉の裏面に押し付ける弾性材質のスペーサを取付る。（請求項1）。
【００１０】
【発明の実施の形態】
以下、この発明の実施の形態を図１(a),(b) ，および図２(a),(b) に示す実施例で説明する。なお、各実施例の図中で、図３，図４に対応する同一部材には同じ符号が付してある。
図１(a),(b) は請求項１に対応する発明の実施の原理を示すものである。この実施例においては、自動販売機の基本構造は図３，図４と同様であるが、特に外扉２の裏面側に配してディスプレイ室５の背面を覆う中扉１１に対して、次に記す部品が新たに追加装備されている。すなわち、第１の部品は、中扉１１のドアヒンジ１１ａと反対側の下端角部を覆ってこの部分に被着した怪我防止用パッド１２、第２の部品は中扉の背面に取付けた中扉押圧用スペーサ１３である。
【００１１】
ここで、前記の怪我防止用パッド１２は鋼板製の中扉１１に較べて軟質なプラスチックなどで作られたもので、中扉１１の下端側コーナー部分をカバーしてこの部分にねじ止め，両面粘着テープ，あるいは接着剤で固定されている。また、中扉押圧用スペーサ１３はゴムなどの弾性材質で作られたもので、中扉１１の板面にねじ止め，両面粘着テープ，あるいは接着剤で固定されており、外扉２を閉じた状態で中扉１１とその背後に並ぶ断熱内扉４との間に圧縮状態に挟まれ、その反力で中扉１１を外扉２に押圧するようなに厚さ寸法に設定されている。なお、スペーサ１３は図示例のように中扉１１に取付ける代わりに、断熱内扉４の前面に取付けて実施することもできる。
【００１２】
上記の構成で、怪我防止用パッド１２は、外扉２，中扉１１を開いた状態でメンテナンス作業を行っている作業者が中腰，屈め姿勢から立ち上がる際に体（背中，腰など）が中扉１１の尖った角部に直接突き当たるのを防止して怪我をしないように保護する役目を果たす。
また、中扉押圧用スペーサ１３は、外扉２を閉じた状態で中扉１１を外扉２の裏面に押しつけ、先述した中扉１１の撓み，反りが原因でディスプレイ室５の背面側で中扉１１と外扉２の間に隙間が生じるのを防ぐ役目を果たす。
【００１３】
図２(a),(b) はこの発明の請求項１に対応するに対応する実施例を示すものである。この実施例においては、先記実施例１で述べた怪我防止用パッド１２と中扉押圧用スペーサ１３の機能を兼ね備えた単一の部品として、ゴムなどのクッション性がある弾性材質で作られたスペーサ１４が、図１に示したパッド１２と同じ箇所に同様な固定手段で取付けてある。
【００１４】
この実施例では、単一部品で怪我防止と中扉の隙間発生防止の役目を果たすので、実施例１のように各機能部品を別々に装着した構成と較べて部品点数，取付け工数が少なくて済む。
【００１５】
【発明の効果】
以上述べたように、この発明の構成によれば、次記の効果を奏する。
(1) 外扉の裏面側にディスプレイ室の背面を覆って商品展示台を支持する中扉を備えた自動販売機のキャビネットにおいて、前記中扉の反ヒンジ側の下端角部を覆ってこの部分に怪我防止用パッドを被着したことにより、ロケーション先で行う機内のメンテナンス作業中に誤って作業者が開放している中扉の角部に背中，腰などをぶつけて怪我するのを防止して安全性を高めることができる。
【００１６】
(2) 中扉とその背後に並ぶ断熱内扉との間に、外扉を閉じた状態で中扉を外扉に押し付ける弾性材質の中扉押圧用スペーサを介装したことにより、外扉を閉じた状態で中扉の撓み，反りに起因してディスプレイ室の背面側で外扉と中扉の間に外見上での見栄えを損なう隙間が生じるのを防止できる。
【図面の簡単な説明】
【図１】  請求項１に対応する発明の実施の原理の構成図であり、(a) は中扉の背面図、(b) は(a) 図の中扉を組み込んだ自動販売機のキャビネットの断面側視図
【図２】  この発明の請求項１に対応する実施例の構成図であり、(a) は中扉の背面図、(b) は(a) 図の中扉を組み込んだ自動販売機のキャビネットの断面側視図
【図３】この発明の実施対象となる自動販売機の正面図
【図４】図３の自動販売機における外扉および断熱内扉を開放した状態の斜視図
【符号の説明】
１    本体ケース
２    外扉
３    商品収納ラック
４    断熱内扉
５    ディスプレイ室
８    商品見本
９    商品展示台
１１    中扉
１２    怪我防止用パッド
１３    中扉押圧用スペーサ
１４    怪我防止用パッド，中扉押圧用スペーサを兼ねたスペーサ
【図１】
0003799759.tif 000002
【図２】
0003799759.tif 000003
【図３】
0003799759.tif 000004
【図４】
0003799759.tif 000005